(57)【要約】【課題】薄型、高速回転の光ディスク装置において、騒音を低減する。【解決手段】光ディスク装置のシャーシの角の切り欠き部の形状に従って、ボトムシャーシの側壁は、ボトムシャーシの側辺の一点から光ディスクの側面に近づく方向に折れ曲がっている。この折れ曲がった側壁を、端に位置する第一の立ち壁とその隣の第二の立ち壁より形成し、端に位置する第一の立ち壁を、隣に位置する第二の立ち壁よりの高さより低くして、ボトムシャーシの切り欠き部の立ち壁の形状を、Ｌ字形状にする。【選択図】図２
2009223931.tif 000002
【特許請求の範囲】
【請求項１】
光ディスクを回転させ、光ピックアップよりレーザ光を照射して情報の記録・再生をおこなう光ディスク装置において、
トップシャーシの側壁とボトムシャーシの側壁を重ねてはめ合わせたシャーシ部と、
前記光ディスクを載置するトレイとを備え、
前記ボトムシャーシの側壁は、前記ボトムシャーシの側辺の一点から前記光ディスクの側面に近づく方向に折れ曲がり、折れ曲がった側壁は、前記ボトムシャーシの側壁の端に位置する第一の立ち壁とその隣に位置する第二の立ち壁を有し、前記第一の立ち壁は、前記第二の立ち壁の高さより低くしたことを特徴とする光ディスク装置。
【請求項２】
前記第一の立ち壁の高さは、前記光ディスクの底面の高さより低く、かつ、前記第二の立ち壁の高さは、前記光ディスクの上面の高さより高いことを特徴とする請求項１記載の光ディスク装置。
【発明の詳細な説明】
【技術分野】
【０００１】
本発明は、光ディスク装置に係り、特に、ノート型パーソナルコンピュータなどに搭載される薄型の形状のモデルに好適であって、モータの回転駆動時であっても騒音や振動を低減することのできる光ディスク装置に関する。
【背景技術】
【０００２】
従来より、デジタル情報を読み出し、書き込む装置としてＣＤドライブ装置、ＤＶＤドライブ装置などの光ディスク装置が広く普及している。
【０００３】
特に、近年は、ノート型パーソナルコンピュータ（以下、「ノート型ＰＣ」の流行により、装置自体が軽量化して、ターンテーブル上に光ディスクを載せるタイプの生産台数が増加傾向にある。
【０００４】
また、かかる光ディスク装置では、その記録／再生をおこなう光ディスクの技術開発の進展により、その記憶容量がますます増大する傾向にある。そのために、高速にデータの読み出しまたは書き込みを実現するため、光ディスク装置によるディスク回転速度も一層速いものが要望されるようになっており、駆動の高速化も著しい。
【０００５】
ところで、ノート型ＰＣに採用されている光ディスク装置では、トレイをシャーシ部に収納して回転させるようになっており、上下のトップシャーシとボトムシャーシを組み合わせて、密閉させて騒音を防止するようになっている。
【０００６】
以下の特許文献１の図１、図２には、シャーシ部として、トップシャーシとボトムシャーシを組み合わせることが開示されており、特許文献２には、右奥の角の切り欠き部に、カバー部材を設けて空気の流出を防ぐ光ディスク装置が開示されている。
【０００７】
【特許文献１】特開２００５−９２９４６号公報
【特許文献２】特開２００３−３６６６４号公報
【発明の開示】
【発明が解決しようとする課題】
【０００８】
以下、図５を用いて従来技術に係る光ディスク装置のシャーシの形状について説明する。
図５は、従来技術に係る光ディスク装置のシャーシの形状について説明する図である。
【０００９】
この図では、シャーシにトレイを収納したときの状態を示しており、トップシャーシは、説明の都合上省き、ボトムシャーシの部分のみ図示されている。
【００１０】
ボトムシャーシには、側面の立ち壁１０２と、角の切り欠け部の立ち壁１０１が形成されており、切り欠け部の立ち壁１０１は、空気流を内部に押し返す役割を有する。
【００１１】
ところがこのシャーシの形状では、角の切り欠け部の立ち壁１０１と光ディスクの回転面が近接しており、光ディスクの回転により、空気の流れの乱れが生じ、異常音が発生するおそれがある。
【００１２】
しかし、立ち壁の覆う面積を単に削減するのみでは、シャーシの機械的強度が弱くなる可能性があり、光ディスクの回転自体により生じる音の騒音が外に漏れ、騒音が大きくなるという問題点が生じる。
【００１３】
上記のような軽量化された光ディスク装置は、ユーザが身近で操作するノート型ＰＣに採用されているため、ディスクトップＰＣよりも騒音を低減することが求められている。
【００１４】
本発明は、上記問題点を解決するためになされたもので、その目的は、薄型、高速回転の光ディスク装置において、シャーシの機械的強度を確保しつつ、騒音の少ない光ディスク装置を提供することにある。
【課題を解決するための手段】
【００１５】
光ディスク装置のシャーシの角の切り欠き部の形状に従って、ボトムシャーシの側壁は、ボトムシャーシの側辺の一点から光ディスクの側面に近づく方向に折れ曲がっている。
【００１６】
本発明の光ディスク装置では、この折れ曲がった側壁を、端に位置する第一の立ち壁とその隣に位置する第二の立ち壁より形成し、端に位置する第一の立ち壁を、隣の第二の立ち壁よりの高さより低くして、ボトムシャーシの切り欠き部の立ち壁の形状を、Ｌ字形状にする。
【００１７】
これにより、光ディスクの回転によって生ずる空気流の相互作用を低減し、空気の流れによる騒音を防止する。
【発明の効果】
【００１８】
本発明によれば、薄型、高速回転の光ディスク装置において、シャーシの機械的強度を確保しつつ、騒音の少ない光ディスク装置を提供することができる。
【発明を実施するための最良の形態】
【００１９】
以下、本発明に係る一実施形態を、図１ないし図４を用いて説明する。
図１Ａ〜図１Ｃは、本発明の一実施形態に係る光ディスク装置の全体の斜視図である。
図２は、本発明の一実施形態のシャーシ形状を説明する斜視図である。
図３は、本発明の一実施形態のシャーシ形状を説明する上面図である。
図４は、空気窓近辺の要部拡大図である。
【００２０】
本実施形態に係る光ディスク装置は、ノートＰＣなどに搭載される薄型（スリムタイプ）のドライブ装置であり、図１Ａ〜図１Ｃに示されるように、トップシャーシ５とボトムシャーシ４をはめ合わせたシャーシ部に、排出ボタンを押すか、ＰＣからのイジェクト操作により、メカニカル機構を動作させて、光ディスクを搭載するトレイ１を引き出すようになっている。
【００２１】
ここで、図１Ａは、シャーシ部にトレイを収納し、トップシャーシ５とボトムシャーシ４をはずした状態、図１Ｂは、シャーシ部にトレイを収納し、トップシャーシ５とボトムシャーシ４をはめ合わせた状態、図１Ｃは、シャーシ部からトレイを引き出して、トップシャーシ５とボトムシャーシ４をはずした状態を示している。
【００２２】
そして、ＣＤ、ＤＶＤなどの光ディスクのデータの読み出し、書き込みをおこなうときには、ターンテーブル９の回転軸に、光ディスクを差し込んで装着して、トレイ１をシャーシ部に入れた状態で、光ピックアップ７よりレーザ光を照射することにより、データの読み出し、書き込みをおこなう。ターンテーブル９は、図示していないがスピンドルモータによりデータの読み出し、書き込み時に回転するようになっている。
【００２３】
そして、データの読み出し、書き込みの処理が終わったときには、排出ボタンを押すか、ＰＣからのイジェクト操作により、トレイ１を引き出して、光ディスクを取り出す。
【００２４】
本実施形態の光ディスク装置のシャーシ形状は、図２、図３に示されるように、装置の前面から見た右奥の部分には、上面から見て角の部分に切り欠きが設けられており、ボトムシャーシ４は、角の部分の切り欠きの所の一部を支える形状になっている。角の部分の切り欠きは、ボトムシャーシ４の側辺から上辺にわたる切り欠きである。
【００２５】
この斜視図から分かるように、ボトムシャーシ４の側壁は、この切り欠き部の形状に従ってボトムシャーシ４の側辺の一点から光ディスクの側面に近づくように折れ曲がっている。
【００２６】
そして、本実施形態の光ディスク装置のボトムシャーシ４には、ボトムシャーシ４の切り欠き部の折れ曲がった所の立ち壁は、高さの低い立ち壁１１と、高さの高い立ち壁１２から形成されており、その横にボトムシャーシ４の側辺の立ち壁１３がある。側面から見ると、ボトムシャーシ４の切り欠き部の折れ曲がった所の立ち壁の形状は、Ｌ字形状になっている。
【００２７】
ここで、光ディスクの上面の高さをｈ０、底面の高さをｈ１とする。また、切り欠き部の高さの低い立ち壁１１の高さをＨ１、切り欠き部の高さの高い立ち壁１２の高さをＨ２、ボトムシャーシ４の側面の立ち壁１３の高さをＨ３とする。
【００２８】
切り欠き部の高さの高い立ち壁１２の高さと、ボトムシャーシ４の側面の立ち壁１３の高さは、等しいので、Ｈ２＝Ｈ３である。
【００２９】
切り欠き部の高さの低い立ち壁１１の高さＨ１は、Ｈ１＜ｈ１になるようにとる。また、切り欠き部の高さの高い立ち壁１２の高さＨ２は、ｈ０＜Ｈ２になるようにとる。
【００３０】
このように形状にすることにより、切り欠き部の高さの低い立ち壁１１によって、下方向の音漏れを防止し、かつ、また、切り欠き部の高さの低い立ち壁１１と切り欠き部の高さの高い立ち壁１２との段差によって生じる垂直のエッジ面２０は、従来技術に比べて、光ディスクとの側面との距離がとられるので、空気の乱れを防止して、異常音を抑制することができる。
【００３１】
それと同時に、切り欠き部の高さの高い立ち壁１２と側面の立ち壁１３により、密閉性を確保し、モータの回転による騒音が漏れるのを防止することができる。
【図面の簡単な説明】
【００３２】
【図１Ａ】本発明の一実施形態に係る光ディスク装置の全体の斜視図である（その一）。
【図１Ｂ】本発明の一実施形態に係る光ディスク装置の全体の斜視図である（その二）。
【図１Ｃ】本発明の一実施形態に係る光ディスク装置の全体の斜視図である（その三）。
【図２】本発明の一実施形態のシャーシ形状を説明する斜視図である。
【図３】本発明の一実施形態のシャーシ形状を説明する上面図である。
【図４】シャーシの切り欠き部近辺のボトムシャーシの立ち壁の要部拡大図である。
【図５】従来技術に係る光ディスク装置のシャーシの形状について説明する図である。
【符号の説明】
【００３３】
０…光ディスク、１…トレイ、１ａ…トレイ前面部、４…ボトムシャーシ、５…トップシャーシ、７…光ピックアップ、９…ターンテーブル、１１…切り欠き部の高さの低い立ち壁、１２…切り欠き部の高さの高い立ち壁、１３…側面の立ち壁、１０１…角の切り欠け部の立ち壁、１０２…側面の立ち壁。
【図１Ａ】
2009223931.tif 000003
【図１Ｂ】
2009223931.tif 000004
【図１Ｃ】
2009223931.tif 000005
【図２】
2009223931.tif 000006
【図３】
2009223931.tif 000007
【図４】
2009223931.tif 000008
【図５】
2009223931.tif 000009
【手続補正書】
【提出日】平成20年4月24日(2008.4.24)
【手続補正１】
【補正対象書類名】図面
【補正対象項目名】図１Ａ
【補正方法】変更
【補正の内容】
【図１Ａ】
2009223931.tif 000010
【手続補正２】
【補正対象書類名】図面
【補正対象項目名】図１Ｂ
【補正方法】変更
【補正の内容】
【図１Ｂ】
2009223931.tif 000011